(57)【要約】  本発明は、マルチメディアブロードキャスト／マルチキャストサービス（ＭＢＭＳ）サービスを支援する移動通信システムにおいて、専用チャンネルを介して使用者端末機（ＵＥ）を呼び出すための方法を提供する。呼出し方法は、符号分割多元接続（ＣＤＭＡ）通信システムにおいて、ＭＢＭＳサービスに関連した制御情報が存在するかどうかを示すことができる。ＭＢＭＳサービスを支援する無線ネットワーク制御器（ＳＲＮＣ）がＭＢＭＳサービスのセッションスタートメッセージを受信すると、無線ネットワーク制御器（ＣＲＮＣ）にＭＢＭＳサービスに対する送信モードを問い合せ、ＭＢＭＳサービスを支援するための制御情報を含むＭＢＭＳ制御チャンネル（ＭＣＣＨ）情報を獲得する。その後に、ＳＲＮＣは、ＭＣＣＨ情報を含むページングメッセージをＵＥへ送信する。
2007503158.tif 000002
【特許請求の範囲】
【請求項１】
マルチメディアブロードキャスト／マルチキャスト（ＭＢＭＳ）サービスを支援する移動通信システムにおける使用者端末機（ＵＥ）をページングする方法であって、
ＭＢＭＳサービスを支援する無線ネットワーク制御器（ＳＲＮＣ）が前記使用者端末機が加入したＭＢＭＳサービスの開始を認識すると、前記使用者端末機と通信している複数のセルを制御する少なくとも１つ以上の無線ネットワーク制御器（ＣＲＮＣ）から前記ＭＢＭＳサービスに応じて送信モードを要求するステップと、
前記要求された結果に従って、前記ＭＢＭＳサービスを支援するための制御情報を含むＭＢＭＳ制御チャンネル（ＭＣＣＨ）情報を受信するステップと、
前記制御チャンネル情報を含むページングメッセージを専用チャンネルを介して前記使用者端末機へ送信するステップと
を具備することを特徴とする方法。
【請求項２】
前記ページングメッセージは、前記ＭＢＭＳサービスを示すＭＢＭＳ識別子及び前記ＭＢＭＳサービスを受信するセルを示すセル識別子をさらに具備することを特徴とする請求項１記載の方法。
【請求項３】
前記ページングメッセージを受信した使用者端末機は、前記ＣＲＮＣから送信された制御チャンネルを受信して、前記ＭＢＭＳサービスを受信するための無線ベアラー（ＲＢ）を設定してＭＢＭＳデータを受信するステップをさらに備えることを特徴とする請求項１記載の方法。
【請求項４】
前記セル識別子を含む前記ページングメッセージを受信した使用者端末機は、前記ＣＲＮＣから送信された制御チャンネル情報を前記セルから受信して前記ＭＢＭＳサービスを受信するための無線ベアラーを設定してＭＢＭＳデータを受信するステップをさらに備えることを特徴とする請求項１記載の方法。
【請求項５】
マルチメディアブロードキャスト／マルチキャスト（ＭＢＭＳ）サービスを支援する移動通信システムにおけるＭＢＭＳサービスを提供する無線ネットワーク制御器（ＳＲＮＣ）が使用者端末機（ＵＥ）をページングする方法であって、
前記無線ネットワーク制御器が前記ＭＢＭＳサービスの開始を認識すると、前記使用者端末機と通信している複数のセルを制御する少なくとも１つ以上の無線ネットワーク制御器（ＣＲＮＣ）から前記ＭＢＭＳサービスに応じて送信モードを要求するステップと、
前記ＣＲＮＣから前記ＭＢＭＳサービスに応じて送信モードの情報を含む応答メッセージを受信するステップと、
前記応答メッセージを考慮して、前記ＭＢＭＳサービスを受信するための制御チャンネルの制御情報を含むページングメッセージを専用チャンネルを介して前記使用者端末機へ送信するステップと
を具備することを特徴とする方法。
【請求項６】
前記ＳＲＮＣは、ＭＢＭＳ識別子及び前記ＭＢＭＳサービスを支援するセルを示すセル識別子をさらに含む前記ページングメッセージを送信することを特徴とする請求項５記載の方法。
【請求項７】
前記ＳＲＮＣは、前記ＣＲＮＣから一対多（ＰｔＭ）送信モードの情報を含む応答メッセージを受信する場合に、前記ＣＲＮＣを介して前記ページングメッセージを前記使用者端末機へ送信することを特徴とする請求項５記載の方法。
【請求項８】
前記ＳＲＮＣは、前記ＣＲＮＣから一対一（ＰｔＰ）送信モードの情報を含む応答メッセージを受信する場合に、前記ＭＢＭＳを支援するための無線ベアラー再構成情報を含むメッセージを前記使用者端末機へ送信することを特徴とする請求項５記載の方法。
【請求項９】
前記ＳＲＮＣは、前記ＣＲＮＣから一対一（ＰｔＰ）送信モードの情報を含む応答メッセージを受信し、前記使用者端末機のＭＢＭＳサービス受信能力を考慮して、前記一対一送信モードで前記ＳＲＮＣで前記ＭＢＭＳサービスを受信することができない場合に、前記ＭＢＭＳ識別子のみを含むページングメッセージを前記使用者端末機へ送信することを特徴とする請求項５記載の方法。
【請求項１０】
マルチメディアブロードキャスト／マルチキャスト（ＭＢＭＳ）サービスを支援する移動通信システムにおける使用者端末機と通信しているセルを制御する無線ネットワーク制御器（ＣＲＮＣ）がＭＢＭＳを支援する方法であって、
前記ＣＲＮＣがＭＢＭＳサービスの開始を認識すると、前記ＭＢＭＳを支援する無線ネットワーク制御器（ＳＲＮＣ）から前記ＭＢＭＳサービスに応じて送信モードを要求するメッセージを受信するステップと、
前記ＭＢＭＳサービスに応じて送信モードを決定するステップと、
前記決定された送信モードに従って前記ＭＢＭＳを支援するための無線ベアラー情報を含む制御チャンネル情報を前記要求メッセージに関連した応答メッセージに含んで、前記ＳＲＮＣへ送信するステップと
を具備することを特徴とする方法。
【請求項１１】
前記ＣＲＮＣは、一対多（ＰｔＭ）送信モードを決定した後に、ＰｔＭ送信モードで応答メッセージを前記ＳＲＮＣへ送信し、前記ＳＲＮＣから送信された前記制御チャンネル情報を含むページングメッセージを専用チャンネルを介して前記使用者端末機へ送信することを特徴とする請求項１０記載の方法。
【請求項１２】
前記ページングメッセージは、ＭＢＭＳ識別子及び前記ＭＢＭＳサービスを支援するセルを示すセル識別子をさらに含むことを特徴とする請求項１０記載の方法。
【請求項１３】
前記ＣＲＮＣは、一対一（ＰｔＰ）送信モードを決定した後に、応答メッセージを前記ＳＲＮＣへ送信し、前記ＳＲＮＣから送信された前記ＭＢＭＳを支援するための無線ベアラー再構成情報を含むページングメッセージを前記使用者端末機へ送信することを特徴とする請求項１０記載の方法。
【請求項１４】
前記ＣＲＮＣは、一対一（ＰｔＰ）送信モードを決定した後に、前記ＰｔＰ送信モードで応答メッセージを前記ＳＲＮＣへ送信し、前記ＳＲＮＣから送信されたＭＢＭＳ識別子のみを含むページングメッセージを前記使用者端末機へ送信することを特徴とする請求項１０記載の方法。
【請求項１５】
マルチメディアブロードキャスト／マルチキャスト（ＭＢＭＳ）サービスを支援する移動通信システムにおけるＭＢＭＳサービスを受信するために使用者端末機をページングする方法であって、
ＭＢＭＳサービスの開始を知らせるＭＢＭＳサービス識別子を含むメッセージを受信するステップと、
前記受信されたメッセージを確認し、前記確認されたメッセージが前記ＭＢＭＳを支援するための制御チャンネル情報をさらに含むページングメッセージである場合に、前記ページングメッセージに含まれているセル識別子を用いて、前記セルで前記ＭＢＭＳサービスを受信するステップと
を具備することを特徴とする方法。
【請求項１６】
前記ページングメッセージは、前記制御チャンネル情報に前記ＭＢＭＳサービスを支援するための無線ベアラー情報を含むことを特徴とする請求項１５記載の方法。
【請求項１７】
前記ページングメッセージは、前記ＭＢＭＳサービス識別子をさらに含むことを特徴とする請求項１５記載の方法。
【請求項１８】
前記使用者端末機は、前記メッセージが前記ＭＢＭＳサービスを支援するための無線ベアラー再構成情報を含むメッセージであるかどうかを判断するステップをさらに具備することを特徴とする請求項１５記載の方法。
【請求項１９】
前記使用者端末機は、前記メッセージが前記ＭＢＭＳサービス識別子のみを含むメッセージである場合に、前記使用者端末機が現在のセルで専用チャンネルを介してサービス進行中であるＭＢＭＳサービスを終了する場合に、前記ＭＢＭＳサービス識別子に従って加入過程を遂行するステップをさらに備えることを特徴とする請求項１５記載の方法。
【発明の詳細な説明】
【技術分野】
【０００１】
本発明は、移動通信システムで使用するマルチメディアブロードキャスト／マルチキャストサービス（Ｍｕｌｔｉｍｅｄｉａ  Ｂｒｏａｄｃａｓｔ／Ｍｕｌｔｉｃａｓｔ  ｓｅｒｖｉｃｅ：以下、‘ＭＢＭＳサービス’と称する）に関し、専用チャンネルを介して、ＭＢＭＳサービスに関する制御情報が存在するか否かを示す呼出し方法に関する。
【背景技術】
【０００２】
最近、通信の技術の発達に伴って、従来の符号分割多元接続（Ｃｏｄｅ  Ｄｉｖｉｓｉｏｎ  Ｍｕｌｔｉｐｌｅ  Ａｃｃｅｓｓ：以下、ＣＤＭＡと称する）技術を使用する移動通信システムから提供するサービスは、従来の音声サービスだけでなく、パケットデータ、サーキットデータなどのような大容量のデータを送信するパケットサービス通信システムと、マルチメディアサービスを伝送することができるマルチメディアブロードキャスト通信システムとに発展している。従って、上記マルチメディアブロードキャスト通信システムを支援するためには、１つ、あるいは、複数のマルチメディアデータソースから複数のユーザー端末機（Ｕｓｅｒ  Ｅｑｕｉｐｍｅｎｔ：以下、‘ＵＥ’と称する）にサービスを提供するマルチメディアブロードキャスト／マルチキャストサービスが論議されている。
【０００３】
ＭＢＭＳサービスは、リアルタイム映像及び音声データ、静止画、文字データなどのマルチメディア送信形態を支援し、上記マルチメディア送信データの適用に従って、音声データ及び映像データを同時に提供し、大量の送信リソースを要求する。また、同一のサービスに対して複数のＵＥが存在しうるとの観点から、ＭＢＭＳサービスは、ブロードキャストチャンネルを介してＵＥへ提供できる。
【０００４】
ＭＢＭＳサービスは、上記ＵＥが要求したＭＢＭＳサービスを各ＵＥへ提供する一対一（Ｐｏｉｎｔ−ｔｏ−Ｐｏｉｎｔ；以下、‘ＰｔＰ’と称する）送信モード及び上記複数のＵＥが要求した同一のＭＢＭＳサービスデータを複数のＵＥへ提供する一対多（Ｐｏｉｎｔ  ｔｏ  Ｍｕｌｔｉ−ｐｏｉｎｔ；以下、‘ＰｔＭ’と称する）送信モードを使用することができる。この場合に、上記ＰｔＰ及びＰｔＭ送信モードは、１つのＭＢＭＳサービスに関連した該当ＭＢＭＳサービスの受信を要求するＵＥの数又は上記ＭＢＭＳサービスを支援することができるネットワークの送信電力に従って、各セル別に異なって選択される。
【０００５】
上記ＭＢＭＳサービスを提供するためには、ＭＢＭＳサービスの受信を望むＵＥに、上記ＭＢＭＳサービスに関連した制御情報を送信しなければならない。上記制御情報を送信するためには、まず、制御情報が存在するか否かを知らせるための呼出し動作が遂行されなければならない。
【０００６】
図１は、典型的な移動通信システムにおけるＵＥが、複数のセルから専用サービスを受信する過程を示す概念図である。
【０００７】
図１を参照すると、ＵＥ１５０は、ＭＢＭＳサービスに参加（Ｊｏｉｎｉｎｇ）した状態で、ＭＢＭＳサービスを受信せず、専用チャンネル（Ｄｅｄｉｃａｔｅｄ  Ｃｈａｎｎｅｌ；ＤＣＨ）を介して、音声サービス、あるいは、セルＡ１００、セルＢ１１０、及びセルＣ１２０から他の専用サービスを受信する。この場合に、上記ＵＥと送受信することができる上記複数のセル１００、１１０、及び１２０の特定の地域をソフトハンドオーバー地域と称する。
【０００８】
ＭＢＭＳサービスを開始する場合に、各セルを管理する基地局制御器（Ｒａｄｉｏ  Ｎｅｔｗｏｒｋ  Ｃｏｎｔｒｏｌｌｅｒ；以下、ＲＮＣと称する）は、上記各セルで、上記ＭＢＭＳサービスの開始を示し、上記ＭＢＭＳサービスは、ＰｔＰサービス、あるいは、ＰｔＭサービスによってなされるかどうかを判別して、上記ＭＢＭＳサービスの送信チャンネル情報をＭＢＭＳ制御チャンネル（ＭＢＭＳ  Ｃｏｎｔｒｏｌ  Ｃｈａｎｎｅｌ；以下、ＭＣＣＨと称する）を介して送信した後に、ＭＢＭＳデータを送信する。
【０００９】
この場合に、ＵＥ１５０は、上記セルＡ１００、セルＢ１１０、セルＣ１２０から、すべてＭＢＭＳサービスを受信することができる。ＵＥ１５０がＭＢＭＳサービスの開始を知らせるメッセージを受信した後に、上記ＭＢＭＳサービスがＰｔＭモードでサービスされる場合に、ＵＥ１５０は、３つのセル１００、１１０、１２０のうちのどんなセルで上記ＭＢＭＳサービスを自身に送信するかを判断することができない。従って、ＵＥ１５０は、３つのセル１００、１１０、１２０から送信されたすべてのＭＣＣＨを受信し、上記ＭＣＣＨを介して受信されたＭＢＭＳ無線ベアラー情報を通じて、３つのセル１００、１１０、１２０のすべてからＭＢＭＳサービスを受信する。この場合に、上記無線ベアラー（Ｒａｄｉｏ  Ｂｅａｒｅｒ；ＲＢ）は、ＵＴＲＡＮとＵＥ１５０との間の有線／無線接続通路を示す。
【００１０】
さらに、３つのセル１００、１１０、１２０が、相互に異なる送信モードを使用してＭＢＭＳサービスの送信を決定する場合に、例えば、セルＡ１００がＰｔＰ送信モードを使用して上記ＭＢＭＳサービスの送信を決定する場合に、それ以外のセル１１０及び１２０は、ＰｔＭ送信モードを使用してＭＢＭＳサービスの送信を決定し、ＵＥ１５０は、異なるモードで相互に異なるセルから 送信された同一のＭＢＭＳサービスを繰り返し受信する場合が発生する可能性があり、又は、セル１００、１１０、１２０は、同一のＵＥに対して不必要なＭＢＭＳサービスを繰り返し送信する場合が発生する可能性があった。
【発明の開示】
【発明が解決しようとする課題】
【００１１】
上記背景に鑑みて、本発明の目的は、ＭＢＭＳサービスを支援する移動通信システムにおいて、上記ＭＢＭＳサービスに関連した制御情報が存在するか否かを複数のセルと通信しているＵＥへ通知する方法を提供することにある。
【００１２】
本発明の他の目的は、上記ＭＢＭＳ関連制御情報が存在するかどうかを示すページングメッセージを使用する方法を提供することにある。
【００１３】
本発明のさらなる目的は、ＭＢＭＳサービスを支援する移動通信システムにおいて、複数のセルと通信しているＵＥが、ＭＢＭＳサービスを効率的に受信するように制御する方法を提供することにある。
【００１４】
本発明のもう一つの目的は、ＭＢＭＳサービスを支援する移動通信システムにおいて、複数のセルと通信しているＵＥを管理するＲＮＣが、ＭＢＭＳサービスの受信にもっとも適合したセルをＵＥへ通知する方法を提供することにある。
【００１５】
本発明のさらに他の目的は、ＭＢＭＳサービスを支援する移動通信システムにおいて、複数のセルと通信しているＵＥを管理するＲＮＣが、上記複数のセルを管理する他のＲＮＣとのシグナリングを通して、上記他のＲＮＣが、上記ＵＥを考慮してＭＢＭＳサービス送信モードを決定し、上記送信モードに対する管理を遂行できるようにする方法を提供することにある。
【００１６】
本発明のさらにもう一つの目的は、ＭＢＭＳサービスを支援する移動通信システムにおいて、複数のセルと通信しているＵＥを管理するＲＮＣが、上記複数のセルを管理する他のＲＮＣとのシグナリングを通して、上記複数のセルのうち、任意の１つのセルから送信されたＭＣＣＨチャンネル情報を上記ＵＥへ送信することによって、上記ＵＥが、上記ＭＢＭＳサービスに関連した制御情報を容易に獲得できる方法を提供することにある。
【００１７】
本発明のさらにもう一つの目的は、ＭＢＭＳサービスを支援する移動通信システムにおいて、ＣＥＬＬ＿ＦＡＣＨ状態にあるＵＥがＵＴＲＡＮが要求した呼出し動作を遂行するように制御する方法を提供することにある。
【課題を解決するための手段】
【００１８】
このような目的を達成するために、本発明の１つの特徴によれば、マルチメディアブロードキャスト／マルチキャスト（ＭＢＭＳ）サービスを支援する移動通信システムにおける使用者端末機（ＵＥ）をページングする方法は、ＭＢＭＳサービスを支援する無線ネットワーク制御器（ＳＲＮＣ）が上記使用者端末機が加入したＭＢＭＳサービスの開始を認識すると、上記使用者端末機と通信している複数のセルを制御する少なくとも１つ以上の無線ネットワーク制御器（ＣＲＮＣ）から上記ＭＢＭＳサービスに応じて送信モードを要求するステップと、上記要求された結果に従って、上記ＭＢＭＳサービスを支援するための制御情報を含むＭＢＭＳ制御チャンネル（ＭＣＣＨ）情報を受信するステップと、上記制御チャンネル情報を含むページングメッセージを専用チャンネルを介して上記使用者端末機へ送信するステップとを具備することを特徴とする。
【００１９】
本発明の他の１つの特徴によれば、マルチメディアブロードキャスト／マルチキャスト（ＭＢＭＳ）サービスを支援する移動通信システムにおけるＭＢＭＳサービスを提供する無線ネットワーク制御器（ＳＲＮＣ）が使用者端末機（ＵＥ）をページングする方法は、上記無線ネットワーク制御器が上記ＭＢＭＳサービスの開始を認識すると、上記使用者端末機と通信している複数のセルを制御する少なくとも１つ以上の無線ネットワーク制御器（ＣＲＮＣ）から上記ＭＢＭＳサービスに応じて送信モードを要求するステップと、上記ＣＲＮＣから上記ＭＢＭＳサービスに応じて送信モードの情報を含む応答メッセージを受信するステップと、上記応答メッセージを考慮して、上記ＭＢＭＳサービスを受信するための制御チャンネルの制御情報を含むページングメッセージを専用チャンネルを介して上記使用者端末機へ送信するステップとを具備することを特徴とする。
【００２０】
本発明のさらなる特徴によれば、マルチメディアブロードキャスト／マルチキャスト（ＭＢＭＳ）サービスを支援する移動通信システムにおける使用者端末機と通信しているセルを制御する無線ネットワーク制御器（ＣＲＮＣ）がＭＢＭＳを支援する方法は、上記ＣＲＮＣがＭＢＭＳサービスの開始を認識すると、上記ＭＢＭＳを支援する無線ネットワーク制御器（ＳＲＮＣ）から上記ＭＢＭＳサービスに応じて送信モードを要求するメッセージを受信するステップと、上記ＭＢＭＳサービスに応じて送信モードを決定するステップと、上記決定された送信モードに従って上記ＭＢＭＳを支援するための無線ベアラー情報を含む制御チャンネル情報を上記要求メッセージに関連した応答メッセージに含んで、上記ＳＲＮＣへ送信するステップとを具備することを特徴とする。
【００２１】
本発明のもう１つの特徴によれば、マルチメディアブロードキャスト／マルチキャスト（ＭＢＭＳ）サービスを支援する移動通信システムにおけるＭＢＭＳサービスを受信するために使用者端末機をページングする方法は、ＭＢＭＳサービスの開始を知らせるＭＢＭＳサービス識別子を含むメッセージを受信するステップと、上記受信されたメッセージを確認し、上記確認されたメッセージが上記ＭＢＭＳを支援するための制御チャンネル情報をさらに含むページングメッセージである場合に、上記ページングメッセージに含まれているセル識別子を用いて、上記セルで上記ＭＢＭＳサービスを受信するステップとを具備することを特徴とする。
【発明の効果】
【００２２】
本発明は、ＭＢＭＳ識別子と、上記ＭＢＭＳサービスを提供することができるセルの識別子と、上記セルから送信されたＭＣＣＨ情報と、を含む第３のページングタイプメッセージを専用チャンネル（ＤＣＨ）を介して送信する。本発明は、第３のページングタイプメッセージを使用して、ＣＥＬＬ＿ＤＣＨモードの複数のセルと通信しているＵＥをページングすることによって、ＣＥＬＬ＿ＤＣＨモードのＵＥが、ＭＢＭＳサービスを受信することができるようにする。
【発明を実施するための最良の形態】
【００２３】
以下、本発明の好適な一実施形態を添付図面を参照しつつ詳細に説明する。なお、下記の説明において、本発明の要旨のみを明瞭にする目的で、関連した公知の機能又は構成に関する具体的な説明は省略する。そして、下記に説明する用語は、本発明での機能を考慮して定義されたもので、これは、設計者の意図及び慣例などに従って変更できる。従って、その用語は、本明細書の全般にわたった内容に基づいて定義できる。
【００２４】
本発明は、ＭＢＭＳサービスを提供する移動通信システムにおいて、複数のセルと通信しているＵＥを制御して、ＭＢＭＳサービスに関連した制御情報を効率的に受信し、上記ＭＢＭＳサービスに関連した制御情報が存在するかどうかを判断し、上記ＭＢＭＳサービスに関連した制御情報を送信するセルを判定する。
【００２５】
図２は、第３世代非同期移動通信システムの標準である３ＧＰＰ（３ｒｄ Ｇｅｎｅｒａｔｉｏｎ  Ｐａｒｔｎｅｒｓｈｉｐ  Ｐｒｏｊｅｃｔ；以下、‘３ＧＰＰ’と称する）において、上記ＭＢＭＳサービスを提供するシステムを示すブロック図である。
【００２６】
図２を参照すると、複数のＵＥ２０１〜２０８と、基地局２２１と、無線ネットワーク制御器（Ｒａｄｉｏ  Ｎｅｔｗｏｒｋ  Ｃｏｎｔｒｏｌｌｅｒ；以下、‘ＲＮＣ’と称する）２３１とから構成されるＵＭＴＳ無線接続ネットワーク（ＵＭＴＳ  Ｔｅｒｒｅｓｔｒｉａｌ  Ｒａｄｉｏ Ａｃｃｅｓｓ  Ｎｅｔｗｏｒｋ；以下、‘ＵＴＲＡＮ’と称する）２３２と、基幹ネットワーク（Ｃｏｒｅ  Ｎｅｔｗｏｒｋ；以下、‘ＣＮ’と称する）として動作するサービングパケット無線サービス支援ノード（Ｓｅｒｖｉｎｇ  Ｇｅｎｅｒａｌ  Ｐａｃｋｅｔ  Ｒａｄｉｏ  Ｓｅｒｖｉｃｅ  Ｓｕｐｐｏｒｔ  Ｎｏｄｅ；以下、‘ＳＧＳＮ’と称する）２４１と、ホーム位置登録器（Ｈｏｍｅ  Ｌｏｃａｔｉｏｎ  Ｒｅｇｉｓｔｅｒ；以下、‘ＨＬＲ’と称する）２５１と、ゲートウェイパケット無線サービス支援ノード（Ｇａｔｅｗａｙ  Ｇｅｎｅｒａｌ  Ｐａｃｋｅｔ  Ｒａｄｉｏ  Ｓｅｒｖｉｃｅ  Ｓｕｐｐｏｒｔ  Ｎｏｄｅ；以下、‘ＧＧＳＮ’と称する）２６１と、ブロードキャスト／マルチキャストサービスセンター（Ｂｒｏａｄｃａｓｔ／Ｍｕｌｔｉｃａｓｔ  Ｓｅｒｖｉｃｅ  Ｃｅｎｔｅｒ；以下、‘ＢＭ−ＳＣ’と称する）２８１と、コンテンツプロバイダー（Ｃｏｎｔｅｎｔｓ  Ｐｒｏｖｉｄｅｒ；以下、‘ＣＰ’と称する）２９１と、ボーダーゲートウェイ（Ｂｏｒｄｅｒ  Ｇａｔｅｗａｙ；ＢＧ）２７１とから構成される。
【００２７】
上記ＭＢＭＳサービスで使用する上述した構成要素の各機能は、ネットワーク管理者によって個別に決定でき、基本的な役割を説明すると、下記の通りである。
【００２８】
ＵＥ２０１〜２０８は、ＭＢＭＳデータを受信して、ユーザに該当ＭＢＭＳサービスを支援する。ＵＴＲＡＮ２３２は、ＭＢＭＳデータをＵＥ２０１〜２０８へ送信し、ＵＥ２０１〜２０８からＭＢＭＳサービスの受信に対する要求メッセージをＣＮへ送信する。
【００２９】
ＳＧＳＮ２４１は、ＭＢＭＳサービスを要求するＵＥに関連したデータをＨＬＲ２５１から受信し、上記受信されたデータの認証を遂行し、ＵＥが要求したＭＢＭＳサービスの権限をＨＬＲ２５１から受信して認証を遂行し、ＵＥが要求したＭＢＭＳサービスのためにＲＡＢを設定し、ＵＥが該当セルで他の位置へ移動する場合に、ＭＢＭＳサービスを受信するように支援する。また、ＳＧＳＮ２４１は、ＧＧＳＮ２６１を介して該当ＭＢＭＳブロードキャストソース２９２及び２９３に接続され、ＵＥが使用したＭＢＭＳサービスに対する課金情報を収集する。
【００３０】
ＨＬＲ２５１は、登録された各ＵＥの認証情報及び該当ＵＥが使用することができるＭＢＭＳサービスに関連した内容を管理する。ＧＧＳＮ２６１は、ＵＥへ送信されるＭＢＭＳデータをＢＭ−ＳＣ２８１から受信し、上記受信されたＭＢＭＳデータをＳＧＳＮ２４１へ送信し、ＵＥの課金情報を収集する。また、ＧＧＳＮ２６１は、複数のＵＥのそれぞれに対する移動性を管理し、ＵＥにサービスされるＭＢＭＳサービスの品質（Ｑｕａｌｉｔｙ  ｏｆ  Ｓｅｒｖｉｃｅ；ＱｏＳ）を管理する。
【００３１】
ＢＭ−ＳＣ２８１は、コンテンツプロバイダーに対する認証及び課金情報の管理を遂行し、ＭＢＭＳサービスのＱｏＳを判定して、損失したＭＢＭＳデータに対するエラー訂正を遂行し、コンテンツプロバイダー（ＣＰ）２９１から受信したＭＢＭＳデータをＧＧＳＮ２６１へ送信し、現在サービス中であるＭＢＭＳサービスに対する通知（ｎｏｔｉｆｉｃａｔｉｏｎ）を遂行する。ＣＰ２９１は、ＢＭ−ＳＣ２８１にＭＢＭＳサービスコンテンツを提供する。
【００３２】
ＢＭ−ＳＣ２８１は、ＭＢＭＳデータストリームを提供するソース（ｓｏｕｒｃｅ）として動作し、上記ＭＢＭＳサービスに関連したストリームをスケジューリング（ｓｃｈｅｄｕｌｉｎｇ）して、上記スケジューリング結果をＧＧＳＮ２６１へ送信する。ＧＧＳＮ２６１は、ＢＭ−ＳＣ２８１からのＭＢＭＳサービスに関連したストリームをＳＧＳＮ２４１へ送信する。この場合に、ＳＧＳＮ２４１は、ＣＮに属しており、ＵＴＲＡＮ２３２を上記ＣＮと接続する役割を遂行する。例えば、ＳＧＳＮ２４１は、任意の時点で、上記ＭＢＭＳサービスの受信を希望する複数のＵＥが存在していると仮定すると、ＧＧＳＮ２６１で、上記ＭＢＭＳストリームの伝達を受けたＳＧＳＮ２４１は、上記ＭＢＭＳサービスの受信を望む加入者、すなわち、ＵＥのＭＢＭＳ関連サービスを制御する。
【００３３】
例えば、ＳＧＳＮ２４１は、各加入者のＭＢＭＳサービスの課金関連データを管理し、ＭＢＭＳサービスデータを特定の無線ネットワーク制御器（ＲＮＣ）２３１へ選択的に送信して、上記ＭＢＭＳ関連サービスを制御する。また、ＳＧＳＮ２４１は、特定のＭＢＭＳサービスに関連したＳＧＳＮサービスコンテキストを構成して管理し、上記ＭＢＭＳサービスに関連したストリームをＲＮＣ２３１へ再送信する。この場合に、上記ＭＢＭＳサービスコンテキストは、任意のＭＢＭＳサービスを提供するために必要な制御情報の集合を意味する。
【００３４】
ＲＮＣ２３１は、複数の基地局を制御し、自身が管理している基地局のうち、ＭＢＭＳサービスを要求するＵＥが存在する基地局２２１へＭＢＭＳサービスデータを送信し、上記ＭＢＭＳサービスを提供するために無線チャンネル（Ｒａｄｉｏ  Ｃｈａｎｎｅｌ）を制御し、上記受信されたＭＢＭＳサービスに関連したストリームを使用して、上記ＭＢＭＳサービスに関連したＲＮＣサービスコンテキストを構成して管理する。このとき、ＨＬＲ２５１は、ＳＧＳＮ２４１に接続され、ＭＢＭＳサービスのための加入者の認証を遂行する。
【００３５】
上述したように、上記ＲＮＣ及びＳＧＳＮは、ＭＢＭＳサービス別にサービス関連情報を管理する。ここで、上記ＭＢＭＳサービスコンテキストに記憶されている情報は、上記ＭＢＭＳサービスを要求するＵＥのリスト、すなわち、上記ＭＢＭＳサービスの受信を望むＵＥの識別子（ｉｄｅｎｔｉｆｉｅｒ：ＩＤ）情報と、上記ＵＥが位置しているサービス領域（ｓｅｒｖｉｃｅ  ａｒｅａ）情報と、上記ＭＢＭＳサービスを提供するために要求されるＱｏＳ情報とを含む。
【００３６】
図３は、ＭＢＭＳサービスを支援する移動通信システムで使用するＵＴＲＡＮ２３２の構成をさらに具体的に示すブロック図である。
【００３７】
図３を参照すると、ＵＥ３２８は、該当ＭＢＭＳサービスを直接受信し、上記ＭＢＭＳサービスを支援することができるハードウェア、あるいは、ソフトウェアを含む。ＵＴＲＡＮ３０２は、ＵＥ２２８をＣＮ３００に接続するための無線通信ネットワークである。ＵＴＲＡＮ３０２は、複数の無線ネットワークシステム（Ｒａｄｉｏ  Ｎｅｔｗｏｒｋ  Ｓｙｓｔｅｍ；以下、‘ＲＮＳ’と称する）３０４及び３１６から構成され、ＲＮＳ３０４及び３１６の各々は、複数のＲＮＣ３０６及び３１８、ＲＮＣ３０６及び３１８の制御を受ける複数の基地局装置（以下、‘Ｎｏｄｅ Ｂ’と称する）３０８，３１２，３２０，３２４及びＮｏｄｅ Ｂ３０８，３１２，３２０，３２４に属している複数のセル３１０，３１４，３２２，３２６から構成される。
【００３８】
ＲＮＳ３０４は、ＲＮＣ３０６の制御を受けるＮｏｄｅ Ｂ３０８，３１２とＮｏｄｅ Ｂ３０８，３１２の制御を受ける複数のセル３１０，３１４とを含む。ＲＮＳ３１６は、ＲＮＣ３１８の制御を受けるＮｏｄｅ Ｂ３２０，３２４とＮｏｄｅ Ｂ３２０，３２４の制御を受ける複数のセル３２２，３２６とを含む。
【００３９】
ＲＮＣ３０６，３１８が制御するＮｏｄｅ Ｂ３０８，３１２，３２０，３２４の総数及びそれぞれのＮｏｄｅ Ｂ３０８，３１２，３２０，３２４に属しているセル３１０，３１４，３２２，３２６の数は、サービスプロバイダー及びそれぞれのＲＮＣ３０６，３１８及びＮｏｄｅ Ｂ３０８，３１２，３２０，３２４の性能によって決定される。
【００４０】
ＵＥ３２８及びＵＴＲＡＮ３０２は、Ｕｕインターフェースを介して相互に接続されている。ＵＴＲＡＮ３０２は、Ｉｕインターフェースを介してＣＮ３００に相互に接続されている。図２において、ＳＧＳＮ２４１及びＨＬＲ２５１は、Ｇｒインターフェースを介して相互に接続され、ＳＧＳＮ２４１及びＧＧＳＮ２６１は、Ｇｎ／Ｇｐインターフェースを介して相互に接続され、ＧＧＳＮ２６１及びＢＭ−ＳＣ２８１は、Ｇｉインターフェースを介して相互に接続され、ＢＭ−ＳＣ２８１及びＣＰ２９１は、Ｇｎ／Ｇｐインターフェースを介して相互に接続される。
【００４１】
図３と関連して、３ＧＰＰで定義されたＵＴＲＡＮの上位レイヤーの構成及び各レイヤー間のチャンネルをさらに具体的に説明する。
【００４２】
図４は、ＵｕインターフェースのためのＵＴＲＡＮプロトコルの構成を階層的に示すブロック図である。図４を参照すると、ＵＴＲＡＮが処理する上位レイヤーメッセージは、制御シグナリングデータとユーザデータとに区別できる。
【００４３】
ＵＴＲＡＮプロトコルは、コントロールプレーン（Ｃｏｎｔｒｏｌ  Ｐｌａｎｅ；以下、‘Ｃ−Ｐｌａｎｅ’と称する）４００とユーザプレーン（Ｕｓｅｒ  Ｐｌａｎｅ；以下、‘Ｕ−Ｐｌａｎｅ’と称する）４０２とに区分される。コントロールプレーン４００及びユーザプレーン４０２は、非接近レイヤー（Ｎｏｎ  Ａｃｃｅｓｓ  Ｓｔｒａｔｕｍ；以下、‘ＮＡＳ’と称する）メッセージを処理するが、上記ＮＡＳメッセージは、ＵＥとＵＴＲＡＮとの間の無線接続に使用されないメッセージを示すもので、上記ＵＴＲＡＮが、その内容を認識する必要がないメッセージを示す。上記ＮＡＳとは異なって、ＵＴＲＡＮとＵＥとの間の無線接続に直接使用されるメッセージは、接近レイヤー（Ａｃｃｅｓｓ  Ｓｔｒａｔｕｍ：以下、‘ＡＳ’と称する）メッセージと称し、図４の無線リソース制御（Ｒａｄｉｏ  Ｒｅｓｏｕｒｃｅ  Ｃｏｎｔｒｏｌ：以下、‘ＲＲＣ’と称する）レイヤー４０４以下で使用されたデータ又は制御信号を示す。
【００４４】
ＲＲＣ４０４は、ＵＥとＵＴＲＡＮとの間の接続に関連した物理階層（Ｐｈｙｓｉｃａｌ  Ｌａｙｅｒ；以下、‘Ｌ１’と称する）４１４、レイヤー２の媒体接続制御部（Ｍｅｄｉｕｍ  Ａｃｃｅｓｓ  Ｃｏｎｔｒｏｌ；以下、‘Ｌ２／ＭＡＣ’と称する）４１２、無線リンク制御部（Ｒａｄｉｏ  Ｌｉｎｋ  Ｃｏｎｔｒｏｌ；以下、‘Ｌ２／ＲＬＣ’と称する）４１０、パケットデータ変換プロトコル部（Ｐａｃｋｅｔ  Ｄａｔａ  Ｃｏｎｖｅｒｇｅｎｃｅ  Ｐｒｏｔｏｃｏｌ；以下、‘Ｌ２／ＰＤＣＰ’と称する）４０６、及びブロードキャスト／マルチキャスト制御部（Ｂｒｏａｄｃａｓｔ／Ｍｕｌｔｉｃａｓｔ  Ｃｏｎｔｒｏｌ；以下、‘Ｌ２／ＢＭＣ’と称する）４０８を制御する。従って、ＲＲＣ４０４は、ＵＥとＵＴＲＡＮとの間の接続に関連したすべての機能、例えば、物理呼設定機能、論理呼設定機能、制御情報送受信機能、及び特定のデータの送受信機能などを制御する。
【００４５】
Ｌ２／ＰＤＣＰ４０６は、上位のＮＡＳレイヤーから送信されるデータを受信して、上記受信されたデータを適切なプロトコルを使用してＬ２／ＲＬＣ４１０へ送信する。Ｌ２／ＢＭＣ４０８は、ブロードキャスト及びマルチキャストに必要なデータをＮＡＳレイヤーから受信し、上記受信されたデータを適切なプロトコルを使用してＬ２／ＲＬＣ４１０へ送信する。
【００４６】
Ｌ２／ＲＬＣ４１０は、ＲＲＣ４０４からＵＥへ送信された制御メッセージを受信して、上記制御メッセージの特性を考慮して、ＲＬＣ＃１乃至ＲＬＣ＃ｎのうちのいずれか１つで、上記受信された制御メッセージを適切に処理し、上記処理の結果を論理チャンネル（Ｌｏｇｉｃａｌ  Ｃｈａｎｎｅｌ）を介してＬ２／ＭＡＣ４１２へ送信する。Ｌ２／ＲＬＣ４１０は、Ｌ２／ＰＤＣＰ４０６及びＬ２／ＢＭＣ４０８からデータを受信し、上記受信されたデータをＲＬＣ＃１乃至ＲＬＣ＃ｎで適切に処理して、上記処理された結果を論理チャンネルを介してＬ２／ＭＡＣ４１２へ送信する。Ｌ２／ＲＬＣ部４１０で使用されたＲＬＣ素子の個数は、ＵＥとＵＴＲＡＮとの間の無線リンクの数によって決定される。
【００４７】
上記論理チャンネルは、特定のＵＥに関連したものであれば専用（Ｄｅｄｉｃａｔｅｄ）タイプ論理チャンネルと決定され、複数のＵＥに関連したものであれば共通（Ｃｏｍｍｏｎ）タイプ論理チャンネルと決定される。また、送信メッセージに乗せられる情報がトラヒック情報に関連したデータである場合に、上記論理チャンネルは、トラヒックタイプ論理チャンネルと決定される。
【００４８】
上述した説明に関連して、３ＧＰＰで使用された論理チャンネルの種類及び機能を説明すると、下記の通りである。
【００４９】
ＢＣＣＨ（Ｂｒｏａｄｃａｓｔ  Ｃｏｎｔｒｏｌ  Ｃｈａｎｎｅｌ）は、ＵＴＲＡＮからＵＥへの下りリンク送信の際に使用され、ＵＴＲＡＮシステム制御情報の送信に使用される。ＰＣＣＨ（Ｐａｇｉｎｇ  ｃｏｎｔｒｏｌ  Ｃｈａｎｎｅｌ）は、ＵＴＲＡＮからＵＥへの下りリンク送信の際に使用され、ＵＥをページングする場合に使用される。ＣＣＣＨ（Ｃｏｍｍｏｎ  Ｃｏｎｔｒｏｌ  Ｃｈａｎｎｅｌ）は、ＵＥとネットワーク（ｎｅｔｗｏｒｋ）との間で生成された一対多制御情報（Ｐｏｉｎｔ−ｔｏ−Ｍｕｌｔｉｐｏｉｎｔ；ＰｔＭ）の送信に使用され、共通トランスポートチャンネルを介してデータが送信される。ＤＣＣＨ（Ｄｅｄｉｃａｔｅｄ  Ｃｏｎｔｒｏｌ  Ｃｈａｎｎｅｌ）は、ＵＥとネットワークとの間で生成された一対一制御情報（Ｐｏｉｎｔ−ｔｏ−Ｐｏｉｎｔ；ＰｔＰ）の送信に使用され、共通トランスポートチャンネル、あるいは、専用トランスポートチャンネルを介してデータが送信される。ＣＴＣＨ（Ｃｏｍｍｏｎ  Ｔｒａｎｓｐｏｒｔ  Ｃｈａｎｎｅｌ）は、ネットワークと複数のＵＥとの間で生成されたＰｔＭデータの送信に使用され、共通トランスポートチャンネルを介してデータが送信される。ＤＴＣＨ（Ｄｅｄｉｃａｔｅｄ  Ｔｒａｎｓｐｏｒｔ  Ｃｈａｎｎｅｌ）は、ネットワークとＵＥとの間で生成されたＰｔＰデータの送信に使用され、共通トランスポートチャンネル、あるいは、専用トランスポートチャンネルを介してデータが送信される。
【００５０】
Ｌ２／ＭＡＣ４１２は、ＲＲＣ４０４から制御信号を受信すると、ＵＥとＵＴＲＡＮとの間で生成された無線リソースを管理するか、上記ＵＥとＵＴＲＡＮとの間の接続を管理する。従って、Ｌ２／ＲＬＣ４１０から該当論理チャンネルの情報を受信し、上記受信された情報を該当トランスポートチャンネルにマッピングさせて、物理レイヤー４１４へ送信する。以下、トランスポートチャンネルの名称及び機能について説明する。
【００５１】
ＢＣＨ（Ｂｒｏａｄｃａｓｔ  Ｃｈａｎｎｅｌ）は、ＢＣＣＨにマッピングされて、上記ＢＣＣＨのデータを送信する。ＰＣＨ（Ｐａｇｉｎｇ  Ｃｈａｎｎｅｌ）は、ＰＣＣＨにマッピングされて、上記ＰＣＣＨのデータを送信する。ＲＡＣＨ（Ｒａｎｄｏｍ  Ａｃｃｅｓｓ  Ｃｈａｎｎｅｌ）は、ＵＥからネットワークへのデータ送信に使用され、ネットワーク接続データ、制御メッセージ、及び短い長さのデータ送信に使用される。上記ＲＡＣＨは、ＤＣＣＨ、ＣＣＣＨ、及びＤＴＣＨにマッピングできる。ＦＡＣＨ（Ｆｏｒｗａｒｄ  Ａｃｃｅｓｓ  Ｃｈａｎｎｅｌ）は、ネットワークから特定のＵＥ、あるいは、複数の特定のＵＥへ制御情報メッセージ又はデータを送信する。上記ＦＡＣＨは、ＢＣＣＨ、ＣＴＣＨ、ＣＣＣＨ、ＤＣＴＨ、及びＤＣＣＨにマッピングできる。ＤＣＨ（Ｄｅｄｉｃａｔｅｄ  Ｃｈａｎｎｅｌ）は、ネットワークからＵＥへのデータ及び制御情報メッセージを送信するチャンネルであり、ＤＣＣＨ及びＤＴＣＨにマッピングされる。ＤＳＣＨ（Ｄｏｗｎｌｉｎｋ  Ｓｈａｒｅｄ  Ｃｈａｎｎｅｌ）は、大容量のデータの送信に使用されるネットワークからＵＥへの下りリンクチャンネルであり、ＤＴＣＨ及びＤＣＣＨにマッピングされる。ＨＳ−ＤＳＣＨ（Ｈｉｇｈ  Ｓｐｅｅｄ  ＤＳＣＨ）は、上記ＤＳＣＨの向上した送信効率を有するネットワークからＵＥへの下りリンクチャンネルであり、ＤＴＣＨ及びＤＣＣＨにマッピングされる。
【００５２】
また、他のトランスポートチャンネル、すなわち、逆方向共有チャンネル（Ｕｐｌｉｎｋ  Ｓｈａｒｅｄ  Ｃｈａｎｎｅｌ）及び共通パケットチャンネル（Ｃｏｍｍｏｎ  Ｐａｃｋｅｔ  Ｃｈａｎｎｅｌ）が使用できる。
【００５３】
物理レイヤー４１４へ送信されたトランスポートチャンネルは、符号化されて変調され、物理チャンネルデータに該当し、上記物理チャンネルデータは、ＵＥまたはＵＴＲＡＮへ送信される。上記物理チャンネルは、ブロードキャストチャンネル（ＢＣＨ）データを送信する第１の共通制御物理チャンネル（Ｐｒｉｍａｒｙ  Ｃｏｍｍｏｎ  Ｃｏｎｔｒｏｌ  Ｐｈｙｓｉｃａｌ  Ｃｈａｎｎｅｌ；以下、Ｐ−ＣＣＰＣＨと称する）と、ページングチャンネル（Ｐａｇｉｎｇ  Ｃｈａｎｎｅｌ；以下、ＰＣＨと称する）及び順方向アクセスチャンネル（Ｆｏｒｗａｒｄ  Ａｃｃｅｓｓ  Ｃｈａｎｎｅｌ；以下、ＦＡＣＨと称する）を送信する第２の共通制御同期チャンネル（Ｓｅｃｏｎｄａｒｙ  Ｃｏｍｍｏｎ  Ｃｏｎｔｒｏｌ  Ｓｙｎｃｈｒｏｎｉｚａｔｉｏｎ  Ｃｈａｎｎｅｌ；以下、Ｓ−ＣＣＳＣＨと称する）と、ページング指示チャンネル（Ｐａｇｉｎｇ  Ｉｎｄｉｃａｔｏｒ  Ｃｈａｎｎｅｌ；以下、ＰＩＣＨと称する）と、獲得指示チャンネル（Ａｃｑｕｉｓｉｔｉｏｎ  Ｉｎｄｉｃａｔｏｒ  Ｃｈａｎｎｅｌ）と、物理共通パケットチャンネル（Ｐｈｙｓｉｃａｌ  Ｃｏｍｍｏｎ  Ｐａｃｋｅｔ  Ｃｈａｎｎｅｌ）などとから構成される。
【００５４】
上述したシステム構成に基づいて、ＭＢＭＳサービスを処理する方法について説明すると、下記の通りである。
【００５５】
まず、ＵＴＲＡＮは、ＭＢＭＳサービスに関連した基本情報及びサービス案内情報を複数のＵＥへ送信する。上記ＭＢＭＳサービスに関連した基本情報及びサービス案内情報を受信したＵＥが上記ＭＢＭＳサービスの受信を希望する場合に、ＣＮに登録する。このような登録過程は、サービス参加過程と呼ぶ。この後に、上記ＭＢＭＳサービスを要求したＵＥを含む複数のＵＥのリスト情報は、ＣＮ（例えば、ＢＭ−ＳＣ及びＳＧＳＮ）及びＵＴＲＡＮへ送信される。
【００５６】
上記ＭＢＭＳサービスを要求したＵＥのリスト情報を受信した上記ＣＮ及び上記ＣＮに接続されているＵＴＲＡＮは、ページングメッセージを複数のＵＥへ送信して、上記ＭＢＭＳサービスを提供するための無線ベアラー（Ｒａｄｉｏ  Ｂｅａｒｅｒ；以下、‘ＲＢ’と称する）を設定する。上記ＣＮは、上記設定された無線ベアラーを介して、該当ＵＥに該当ＭＢＭＳサービスを提供する。一方、上記ＭＢＭＳサービスが終了すると、ＭＢＭＳ終了情報は、すべてのＵＥへ送信されなければならない。従って、上記ＵＥを管理しているＣＮ及びＵＴＲＡＮは、上記ＭＢＭＳサービスのために割り当てられた無線リソースを解除して、上記ＭＢＭＳサービスを終了する。
【００５７】
上述したようなＭＢＭＳサービス手順において、ＭＢＭＳサービスの開始は、ＭＢＭＳサービスの開始を示す制御情報が送信されることを示す。上記ＭＢＭＳサービスの開始を示す制御情報が送信されることを示すための２つのページング方法には、２種類がある。第１のページング方法は、上述した共通チャンネル（ｃｏｍｍｏｎ  ｃｈａｎｎｅｌ）を使用した方法であって、上述したＰＩＣＨ／ＰＣＨを使用して遂行される。第２のページング方法は、専用チャンネル（Ｄｅｄｉｃａｔｅｄ  Ｃｈａｎｎｅｌ）を用いた方法であって、上記ＤＣＣＨを使用して遂行される。
【００５８】
３ＧＰＰでは、ＵＥの接続チャンネルに従って、ＵＥの動作モードが５種類で定義されるが、この場合に、５種類の動作モードは、アイドルモード、ＵＲＡ＿ＰＣＨモード、ＣＥＬＬ＿ＰＣＨモード、ＣＥＬＬ＿ＦＡＣＨモード、及びＣＥＬＬ＿ＤＣＨモードがある。上記第１及び第２の方法のうちの１つは、それぞれのモードに従って選択的に決定される。上記ＵＥの５種類の動作モードを詳細に説明すると、次の通りである。
【００５９】
１．アイドルモードは、ＵＥとＵＴＲＡＮとの間の無線リソース制御（Ｒａｄｉｏ  Ｒｅｓｏｕｒｃｅ  Ｃｏｎｔｒｏｌ；以下、ＲＲＣと称する）の接続がない特定の状況を示す。上記アイドルモードの間には、ＣＮで定義された不連続受信パラメータ（Ｄｅｓｃｒｉｐｔ  Ｒｅｃｅｐｔｉｏｎ  Ｐａｒａｍｅｔｅｒ）を受信すると、ＵＥは、ＣＮ又はＵＴＲＡＮから受信された信号があるかどうかを確認する。
【００６０】
２．ＵＲＡ＿ＰＣＨ（ＵＴＲＡＮ  Ｒｅｇｉｓｔｒａｔｉｏｎ  Ａｒｅａ  Ｐａｇｉｎｇ  Ｃｈａｎｎｅｌ）モードは、ＵＥとＵＴＲＡＮとの間のＲＲＣ接続がある特定の状況を示し、ＵＲＡ単位でＵＥの位置が把握される。ＵＴＲＡＮで定義された不連続受信パラメータを受信すると、ＵＥは、ＣＮ又はＵＴＲＡＮから受信された信号があるかどうかを確認する。上記ＵＲＡは、複数のセルの集合体である。
【００６１】
３．ＣＥＬＬ＿ＰＣＨ（ＣＥＬＬ  Ｐａｇｉｎｇ  Ｃｈａｎｎｅｌ）モードは、ＵＥとＵＴＲＡＮとの間のＲＲＣ接続がある特定の状況を示し、セル単位でＵＥの位置が把握される。ＵＴＲＡＮで定義された不連続受信パラメータを受信すると、ＵＥは、ＣＮ又はＵＴＲＡＮから受信された信号があるかどうかを確認する。
【００６２】
４．ＣＥＬＬ＿ＦＡＣＨ（ＣＥＬＬ  Ｆｏｒｗａｒｄ  Ａｃｃｅｓｓ  Ｃｈａｎｎｅｌ）モードは、ＵＥとＵＴＲＡＮとの間のＲＲＣ接続がある特定の状況を示し、セル単位でＵＥの位置が把握される。上記ＣＥＬＬ＿ＦＡＣＨモードの間には、ＵＥは、上記個々のセルからＦＡＣＨ信号を受信する。上記ＵＥは、ＤＣＣＨを介したページング方法を使用して、ＣＮから受信された信号があるかどうかを判定することができる。
【００６３】
５．ＣＥＬＬ＿ＤＣＨ（ＣＥＬＬ  Ｄｅｄｉｃａｔｅｄ  Ｃｈａｎｎｅｌ）モードは、ＵＥとＵＴＲＡＮとの間のＲＲＣ接続がある特定の状況を示し、セル単位でＵＥの位置が把握される。上記ＣＥＬＬ＿ＤＣＨモードの間には、ＵＥは、上記セルからＤＰＣＨ信号を受信すると同時に、音声呼、あるいは、他の専用パケットサービスを使用する。さらに、ＵＥは、不必要な干渉雑音の発生の抑制及びデータの効率的な送受信のための送受信電力を制御する。音声サービスを用いている間には、ＵＥは、ＤＣＣＨを介したページング機能を用いてパケットサービスが存在するかどうかを認識することができる。パケットサービスを用いている間には、ＤＣＣＨを介したページング機能を用いて音声サービスが存在するかどうかを判別することができる。
【００６４】
上記５種類のＵＥのモードのうちの３種類のモード、すなわち、アイドルモード、ＵＲＡ＿ＰＣＨモード、及びＣＥＬＬ＿ＰＣＨモードは、ＵＥのバッテリー節約のためにＰＩＣＨデータを受信した後に、上記ＰＩＣＨを介して送信されたページング指示子（Ｐａｇｉｎｇ  Ｉｎｄｉｃａｔｏｒ；以下、‘ＰＩ’と称する）を確認し、Ｓ−ＣＣＰＣＨを介して送信されたＰＣＨデータを受信し、上記受信されたＰＣＨデータが上記ＵＥから受信されたページング信号を示すかどうかを確認する。このような方式にて、上述した３種類のモードは、上記共通チャンネルを使用して第１のページング方法を使用する。上記ＵＥの５種類のモードのうち、残りの２種類のモード、すなわち、ＣＥＬＬ＿ＦＡＣＨモード及びＣＥＬＬ＿ＤＣＨモードは、ＵＥがＣＥＬＬ＿ＦＡＣＨ、あるいは、ＣＥＬＬ＿ＤＣＨモードで、ＵＴＲＡＮ／ＣＮとデータを現在送受信しているので、第２のページング方法を使用し、これによって、上記パケットサービスを受信する場合には、上記専用チャンネル（ＤＣＨ）を介して音声サービスの開始を示し、音声サービスを受信する場合には、上記専用チャンネルを介してパケットサービスの開始を示す。
【００６５】
３ＧＰＰのうちで、上記専用チャンネルを介して制御情報が存在するかどうかを示す呼出し方法で使用されたページングメッセージを第２のページングタイプメッセージ（Ｐａｇｉｎｇ  Ｔｙｐｅ  Ｍｅｓｓａｇｅ  ２）と呼び、上記第２のページングタイプメッセージは、上記ＵＥのページング信号が上記ＣＮから受信される場合に使用される。すなわち、ＤＣＨデータを受信しているＵＥは、ＵＴＲＡＮの観点から見ると、あらかじめ位置情報を把握しており、また、上記ＵＥが上記ＵＴＲＡＮと信号を送受信することができる状態にあるので、上記ＣＮから新たなサービスが開始される場合にのみ、上記ＤＣＨを使用した呼出し方法が使用される。
【００６６】
上記ＵＥが複数のセルに接続された無線リンクを有しており、上記複数のセルからすべてのＭＢＭＳを受信することができる場合に、上記ＤＣＨを用いた呼出し方法は、次のような理由によって使用できない。すなわち、上記ＤＣＨを用いた呼出し方法は、上記ＣＮから受信されたページング信号にのみ使用され、ＵＴＲＡＮからＵＥへ送信されたＭＢＭＳデータが相互に異なるモードで繰り返し受信でき、上記ＵＴＲＡＮが上記ＭＢＭＳの送信モードを決定するにあたって、上記ＵＥが繰り返し考慮されうる。また、上記ＵＥが複数の無線リンクをそれぞれ有しており、これによって、無線リンクのうちどのリンクで、ＭＢＭＳに関連した制御情報を提供するかを認識することができないためである。
【００６７】
同様に、ＣＥＬＬ＿ＦＡＣＨモードにあるＵＥは、上記ＤＣＨを使用する呼出し方法を用いる場合に、上記ＣＮから生成されたページング信号以外の残りの信号を受信することができない。従って、ＭＢＭＳサービスに関連したページング信号がＵＴＲＡＮの要求によって生成される場合に、ＣＥＬＬ＿ＦＡＣＨモードにあるＵＥをページングするための方法を必要とする。
【００６８】
図５は、本発明の好適な一実施形態に従って、上記ＤＣＨを介してページング動作を遂行するためのシグナリングメッセージのフォーマットを示す図である。上記シグナリングメッセージは、以下、第３のページングタイプメッセージ（Ｐａｇｉｎｇ  Ｔｙｐｅ  ３  Ｍｅｓｓａｇｅ）とも称する。説明の便宜上、基本フィールドのみが図５に示されるが、３ＧＰＰ標準で定義された条件に従って、他の情報要素（Ｉｎｆｏｒｍａｔｉｏｎ  Ｅｌｅｍｅｎｔ：ＩＥ）を上記シグナリングメッセージにさらに含むことができる。
【００６９】
図５を参照すると、メッセージタイプ５０１は、第３のページングタイプメッセージを示す固有な値に設定される。ＲＲＣ遂行識別子（ＲＲＣ  Ｔｒａｎｓａｃｔｉｏｎ  Ｉｄｅｎｔｉｆｉｅｒ）５０２は、ＲＲＣから送信された制御信号のバージョンに関する情報を示し、上記ＲＲＣから送信された制御信号の応答メッセージにも使用される。同一の制御メッセージが送信される場合に、ＲＲＣ遂行識別子５０２は、それぞれの制御メッセージを区別するのに使用される。
【００７０】
無欠性検査情報（ｉｎｔｅｇｒｉｔｙ  ｃｈｅｃｋ  ｉｎｆｏ）５０３は、上記第３のページングタイプメッセージがエラーなしに受信されたか否かを検査する無欠性検査に使用されるパラメータを送信するのに使用され、無欠性保護機能が使用されなかった場合には使用されない。呼出し理由（ｐａｇｉｎｇ  ｃａｕｓｅ）５０４は、本発明の場合、ＭＢＭＳサービスに対するページングであることを示す値となる。一実施形態であって、呼出し理由５０４は、ＭＢＭＳ識別子５０５に置き換えることができる。
【００７１】
ＭＢＭＳ識別子５０５は、ＭＢＭＳサービスを識別するための識別子を示す。第３のページングタイプメッセージは、複数のＭＢＭＳ識別子を含むことができる。多くの種類のＭＢＭＳ識別子５０５が使用されることがあるとしても、ＭＢＭＳ識別子５０５は、上記第３のページングタイプメッセージを受信するＵＥがＭＢＭＳサービスをそれぞれ識別するように制御する識別子として定義する。
【００７２】
第３のページングタイプメッセージは、それぞれのＭＢＭＳ識別子５０５に関連して、セル識別子５０６とＭＣＣＨ情報５０７とをさらに含む。セル識別子５０６は、上記ＭＢＭＳ識別子に関連したＭＢＭＳサービスが提供されるセルの識別子を示す。ＭＣＣＨ情報５０７は、セル識別子５０６に関連したセルで使用される。すなわち、複数の無線リンクを有しているＣＥＬＬ＿ＤＣＨ状態のＵＥは、セル識別子５０６とＭＣＣＨ情報５０７とをそれぞれさらに含む。一方、１つの無線リンクを有するＣＥＬＬ＿ＤＣＨ又はＣＥＬＬ＿ＦＡＣＨ状態のＵＥは、ＭＢＭＳ識別子５０５のみを含む。言い換えれば、上記ＵＥが１つの無線リンクのみを使用する場合に、上記ＭＢＭＳ識別子のみを使用してＭＣＣＨ情報を受信することができるか、又は、上記ＭＢＭＳ識別子のみを使用してＭＢＭＳに関連した動作を遂行することができるためである。
【００７３】
すなわち、第３のページングタイプメッセージで、本発明に必要な基本的な情報要素（ＩＥ）は、ＭＢＭＳ識別子と、上記ＭＢＭＳ識別子に関連したＭＢＭＳを送信するか、あるいは、現在送信しているセル識別子と、上記セル識別子に関連したセルからＭＣＣＨ情報を受信しているチャンネル情報とを示す。
【００７４】
図６は、本発明の好適な一実施形態に従って、専用チャンネルを介したＵＥのページング手順を示すフローチャートである。ここで、上記ＵＥは、図１に示すように、少なくとも２つのセルに無線リンクを接続しており、サービングＲＮＣ（Ｓｅｒｖｉｎｇ  ＲＮＣ：ＳＲＮＣ）及び上記ＵＥと通信しているセルを管理している制御ＲＮＣ（Ｃｏｎｔｒｏｌ  ＲＮＣ：ＣＲＮＣ）に関連したＭＢＭＳサービスのためのシグナリングメッセージ、すなわち、第３のページングタイプメッセージを交換する。
【００７５】
この場合に、ＳＲＮＣとは、上記ＵＥが登録されているＲＮＣを示し、ＵＥ６０１に対する位置管理機能及びサービス管理機能のような各種の機能を遂行し、ＵＥとＣＮとの間の接続リンクを提供する。上記ＣＲＮＣとは、ＵＥ６０１と通信している１つのセル、あるいは、複数のセルを管理するＲＮＣを示す。ＵＥ６０１に対して少なくとも１つ以上のＣＲＮＣが使用されうる。一方、ＵＥ６０１に対して１つのＳＲＮＣのみが使用される。図６において、ＲＮＣ＃２が上記ＵＥに関連したＳＲＮＣを示し、ＲＮＣ＃３及びＲＮＣ＃１は、上記ＵＥに関連したＣＲＮＣとして定義される。
【００７６】
図６を参照すると、上記ＣＮは、ＭＢＭＳサービスがすぐ開始されることを示すセッションスタートメッセージをＲＮＣ＃３、ＲＮＣ＃１、及びＲＮＣ＃２へそれぞれ送信する。すなわち、ステップ６０２で、セッションスタートメッセージをＲＮＣ＃２へ送信し、ステップ６０４で、セッションスタートメッセージをＲＮＣ＃３へ送信し、ステップ６０６で、セッションスタートメッセージをＲＮＣ＃１へ送信する。
【００７７】
ステップ６０６のセッションスタートメッセージを受信したＲＮＣ＃２は、ステップ６０８で、ＭＢＭＳ問い合わせ手順を遂行する。上記ＭＢＭＳ問い合わせ手順の間に、ＲＮＣ＃２は、上記ＵＥに対するＭＢＭＳサービスを提供する際、どんな送信モードがＭＢＭＳ送信モードとして使用されるかを示す特定の情報に対して、ＣＥＬＬ＿ＤＣＨ状態のＵＥと通信しているセルを管理するＲＮＣ＃３及びＲＮＣ＃１に問い合わせる。ＭＢＭＳ問い合わせ手順６０８は、上記ＵＥが複数のセルのすべてから相互に異なる送信モード（例えば、ＰｔＰ又はＰｔＭ送信モード）で、同一のＭＢＭＳサービスを受信不可にし、上記ＵＥに接続されたセルを管理しているＣＲＮＣを制御して、どんな送信モードがＭＢＭＳ送信モードとして使用できるかを示す特定の情報を上記ＳＲＮＣへ通知する。従って、ＭＢＭＳ問い合わせ手順６０８は、無線リソースの浪費なしに、上記ＵＥへＭＢＭＳデータを効率的に遂行することができる。
【００７８】
ステップ６０８で、ＲＮＣ＃２が上記ＵＥに接続されているセルからどんな送信モードがＭＢＭＳ送信モードとして提供されるかを示す特定の情報を受信した後に、ステップ６１０で、上記受信された情報に基づいて、どんな送信モードが上記ＵＥに対するＭＢＭＳ送信モードとして使用されるかを最終的に判定する。ＲＮＣ＃２が上記ＵＥに対するＭＢＭＳ送信モードを判定することができる直接的な決定の権限を有していないが、上記ＵＥに接続されているセルで、どんな送信モードが上記ＭＢＭＳ送信モードとして使用されるかを把握することができるので、上記ＵＥがＰｔＰモードで上記ＭＢＭＳデータを受信しなければならないか、又はＰｔＭモードで上記ＭＢＭＳデータを受信しなければならないかを最終的に判定することができる。ここで、上記ＲＮＣ＃２は、ＰｔＭ送信モードで、上記ＵＥに接続されているセルのうちの１つへＭＢＭＳサービスを送信するものを仮定する。ステップ６１２で、ＲＮＣ＃２は、上記決定された送信モードに基づいて、すなわち、ＰｔＭモードで上記ＵＥへＭＢＭＳを送信するセルを管理するＣＲＮＣであるＲＮＣ＃３とともにＭＢＭＳアタッチメント手順を遂行する。上記ＭＢＭＳアタッチメント手順は、上記ＵＥ‘Ｋ’が上記ＲＮＣ＃３で管理しているセルからＭＢＭＳを受信していることを示す特定の情報を上記ＲＮＣ＃３が認識するようにする。すなわち、ＭＢＭＳアタッチメント手順は、上記ＵＥがＭＢＭＳサービスを受信する間に、必要な制御メッセージを受信しているＳＲＮＣ、すなわち、ＲＮＣ＃２と通信するために、上記ＭＢＭＳを受信しているＵＥを制御し、上記ＵＥ及び上記ＭＢＭＳの送信形態を判定する方法に使用される。
【００７９】
この場合に、上記ＵＥは、ＣＥＬＬ＿ＤＣＨ状況にあるので、各セルのシステム情報を送信するブロードキャストチャンネルデータ（Ｂｒｏａｄｃａｓｔ  Ｃｈａｎｎｅｌ  Ｄａｔａ）を受信しない。従って、上記ＵＥは、上記各セルのブロードキャストチャンネルを介して送信されたＭＣＣＨに関する情報を獲得することができる。上記ＲＮＣ＃２は、上記ＭＢＭＳ問合せ手順６０８、あるいは、上記ＭＢＭＳアタッチメント手順６１２を介して、上記ＵＥが、ＭＢＭＳサービスを受信するセルで使用されたＭＣＣＨ情報を獲得する。上記ＲＮＣ＃２は、ステップ６１４で、第３のページングタイプメッセージを使用して、上記ＵＥが加入されたＭＢＭＳサービスの開始を示す情報、上記ＭＢＭＳサービスを受信するセルの情報、及び上記ＭＣＣＨの受信に必要な制御情報を獲得することができるチャンネル情報のような各種の情報を上記ＵＥへ送信する。
【００８０】
上記第３のページングタイプメッセージを受信したＵＥは、ステップ６１６で、上記ＵＥが加入したＭＢＭＳサービスがすぐ開始されることを認識し、上記第３のページングタイプメッセージが指示するセルからＭＣＣＨ情報を受信し、上記ＭＢＭＳの受信を準備した後に、ステップ６１８で、ＭＢＭＳデータを受信する。このとき、上記ＵＥは、上記ＭＣＣＨ情報に含まれているＭＢＭＳＲＢ情報を用いてＭＢＭＳデータを受信する。
【００８１】
図７は、本発明の好適な一実施形態によるＳＲＮＣの動作を示すフローチャートである。図７に示すように、ＳＲＮＣに登録されているＣＥＬＬ＿ＤＣＨ状況にあるＵＥが、ＭＢＭＳを受信することができるすべての状況に関連して、上記ＳＲＮＣが、上記ＵＥにＭＢＭＳサービスの開始及び上記ＭＢＭＳデータを受信するための制御情報の獲得を提供する動作の流れを説明する。
【００８２】
図７を参照すると、ＳＲＮＣは、ステップ７０２で、上記ＣＮからセッションスタートメッセージを受信した後に、ステップ７０４で、ＵＥと通信しているセルを管理しているＣＲＮＣに、上記ＵＥがどんな送信モードでＭＢＭＳサービスを受けることができるかについての問い合せ過程を遂行する。すなわち、ＳＲＮＣは、上記ＭＢＭＳサービスがＰｔＰ送信モードで送信されるか、又はＰｔＭ送信モードで送信されるかを示す特定の情報に関して、ＣＲＮＣに問い合わせる。この場合に、ＳＲＮＣは、第３のページングタイプメッセージとして送信されるＭＣＣＨ制御情報を受信することができる。
【００８３】
ステップ７０６で、ＳＲＮＣは、上記ＣＲＮＣから受信された複数の応答メッセージのうちで、ＰｔＰ関連応答メッセージである第１の応答メッセージと、ＰｔＭ関連応答メッセージである第２の応答メッセージとを区別する。すべてのＣＲＮＣの各々から第１の応答メッセージを受信すると、ステップ７０８で、上記ＳＲＮＣは、上記ＵＥが現在受信しているＭＢＭＳサービスとは異なる他のサービスの受信能力に関連した情報を参照して、上記ＵＥが、上記ＭＢＭＳを受信する能力を有するかどうかを判別する。上記ＳＲＮＣは、上記ＲＮＣ内に登録されているすべてのＵＥに対する能力（ｃａｐａｂｉｌｉｔｙ）を予め認識しているので、ステップ７０８のような判別作業を遂行することができる。
【００８４】
ステップ７０８で、上記ＵＥがＭＢＭＳサービスをこれ以上受信できないと判定されると、すなわち、ステップ７０８で、上記ＵＥが現在のＭＢＭＳサービスを受信することができない場合に、ＳＲＮＣは、ステップ７１０で、第３のページングタイプメッセージにＭＢＭＳサービス識別子のみを含ませて送信することによって、ＭＢＭＳサービスの開始を示す。ゆえに、上記ＵＥが現在受信しているサービスを終了した後に、ＭＢＭＳの受信を要求することができる。
【００８５】
一方、ステップ７０８で、上記ＵＥがＭＢＭＳを受信することができると判定されると、ステップ７１２で、ＳＲＮＣは、上記ＵＥにＲＢ再構成（ｒｅｃｏｎｆｉｇｕｒａｔｉｏｎ）メッセージを送信して、上記ＵＥがＭＢＭＳサービスを受信できるようにする。ステップ７０８で、上記ＵＥが現在のＭＢＭＳサービスを受信できると判断される場合に、ＳＲＮＣは、ステップ７１２のように、ＭＢＭＳ ＲＢメッセージを送信して、ＵＥがしばらくしてＭＢＭＳサービスを受信できるようにする。
【００８６】
３ＧＰＰでは、トランスポートチャンネルのうち、送信組合せを使用して各トランスポートチャンネル間に送信されたデータの送信時点を調節することができる。従って、上述した機能を使用して、上記ＵＥが現在のＭＢＭＳサービスを受信することができないとしても、上記ＵＥは、現在のサービスが終了された後に、すぐＭＢＭＳサービスを受信することができる。
【００８７】
一方、上記ＣＲＮＣのうちいずれか１つでもＰｔＭ関連応答メッセージである第２の応答メッセージを受信すると、ステップ７１６で、ＳＲＮＣは、上記ＵＥが、上記ＭＢＭＳサービスをＰｔＭ送信モードで受信できるかどうかを判断する。ステップ７１６で、上記ＵＥが上記ＭＢＭＳサービスをＰｔＭ送信モードで受信することができないと、ＳＲＮＣはステップ７０８へ進行する。
【００８８】
一方、ステップ７１６で、上記ＵＥが上記ＭＢＭＳサービスをＰｔＭモードで受信できる場合に、ステップ７１８で、ＳＲＮＣは、ＭＢＭＳ識別子、セル識別子、及びＭＣＣＨ情報を含む第３のページングタイプメッセージを上記ＣＲＮＣを介して送信し、ステップ７１４で、ＵＥに関連したアタッチメント過程を遂行する。
【００８９】
図８は、本発明の好適な一実施形態によるＣＲＮＣの動作を示すフローチャートである。図８において、ＣＲＮＣは、１つのＵＥと通信している複数のセルを管理できる少なくとも１つのＲＮＣを示し、ＳＲＮＣを介して上記ＵＥの通信を管理する。
【００９０】
図８を参照すると、ＣＲＮＣは、ステップ８０２で、セッションスタートメッセージを受信し、ステップ８０４で、ＵＥに該当するＳＲＮＣからＭＢＭＳサービスの送信モードを問い合せる問合せメッセージを受信する。この場合に、上記ＵＥは、上記ＣＲＮＣが管理している少なくとも１つのセルで、ＣＥＬＬ＿ＤＣＨ状態で現在通信を遂行する。上記ＵＥに上記ＭＢＭＳサービスを提供する場合に、上記問合せメッセージは、ＰｔＰ送信モードが上記ＭＢＭＳサービス送信モードとして使用されるか、または、ＰｔＭ送信モードが上記ＭＢＭＳサービス送信モードとして使用されるかを判定するのに使用される。
【００９１】
ステップ８０６で、上記ＣＲＮＣは、上記ＵＥを含む特定の場合に関連したＭＢＭＳサービスを送信するＭＢＭＳ ＲＢを判別し、ステップ８０８で、上記ＭＢＭＳサービスがＰｔＰ送信モードで送信されるか否かを判別する。上記判別の結果、ステップ８０８で、ＣＲＮＣが上記ＰｔＰ送信モードでＭＢＭＳサービスの遂行を決定すると判別されると、ＣＲＮＣは、ステップ８１０で、上記ＭＢＭＳサービスがＰｔＰ送信モードで送信されることを示す応答メッセージを上記ＳＲＮＣへ送信する。一方、ステップ８０８で、上記ＣＲＮＣが上記ＰｔＭ送信モードでＭＢＭＳサービスの送信を決定すると判別されると、ステップ８１２で、ＣＲＮＣは、ＭＢＭＳ ＲＢ情報が送信されるＭＣＣＨに関連した制御情報を含む応答メッセージを上記ＳＲＮＣへ送信する。
【００９２】
この後に、上記ＣＲＮＣは、ステップ８１４で、上記ＳＲＮＣから上記ＵＥに関連したアタッチメント要求を受信して、アタッチメント過程を遂行する。ステップ８１４で、上記ＣＲＮＣは、上記ＳＲＮＣから伝達を受けるＭＢＭＳスタート指示メッセージ、ＲＢ再構成メッセージ、又は、第３のページングタイプメッセージを上記ＵＥへ送信する。
【００９３】
図９は、本発明の好適な一実施形態によるＵＥの動作を示すフローチャートである。ここで、ＵＥは、複数のセルと通信していると仮定する。
【００９４】
図９を参照すると、ステップ９０２で、ＵＥは、ＭＢＭＳサービスの開始を示す第３のページングタイプメッセージ、すなわち、ＭＢＭＳサービス識別子のみを含む第３のページングタイプメッセージが受信されたか否かを確認する。ＭＢＭＳサービスの開始を示す第３のページングタイプメッセージが受信されると、ステップ９０８で、ＵＥは、ＭＢＭＳサービスの開始を認識し、現在ＤＣＨを介して受信されている専用サービスを終了する場合に、上記ＭＢＭＳサービス識別子に応じて、上記ＭＢＭＳサービスを要求する。
【００９５】
一方、上記ＵＥがＭＢＭＳサービスの開始を示す第３のページングタイプメッセージが受信されない場合に、ステップ９０４で、ＲＢ再構成メッセージが受信されるか否かを確認する。ステップ９０４で、上記ＲＢ再構成メッセージを受信すると判断されると、ＵＥは、ステップ９１０でＲＢ再構成過程を遂行した後に、上記ＲＢを介してＭＢＭＳサービスを受信する。
【００９６】
一方、ステップ９０４で、上記ＲＢ再構成メッセージを受信しない場合に、ＵＥは、ステップ９０６で、ＭＢＭＳ識別子、セル識別子、及びＭＣＣＨ情報を含む上記第３のページングタイプメッセージを受信し、上記セル識別子が指示したセルでＭＣＣＨを介して制御情報を獲得した後に、上記獲得された制御情報を使用して、上記ＭＢＭＳサービスを受信する。
【００９７】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００９８】
【図１】典型的な移動通信システムにおけるＵＥが複数のセルから専用サービスを受信している過程を示す概念図である。
【図２】ＭＢＭＳサービスを支援する移動通信システムの構成を示すブロック図である。
【図３】ＭＢＭＳサービスを支援する移動通信システムにおけるＵＴＲＡＮの構成を示すブロック図である。
【図４】移動通信システムにおけるＵＴＲＡＮの階層的な構成を示すブロック図である。
【図５】本発明の好適な一実施形態に従って、ＵＥをページングするための第３のページングタイプメッセージの構成を示す図である。
【図６】本発明の好適な一実施形態に従って、専用チャンネルを介してＵＥをページングする手順を示すフローチャートである。
【図７】本発明の好適な一実施形態によるＳＲＮＣの動作を示すフローチャートである。
【図８】本発明の好適な一実施形態によるＣＲＮＣの動作を示すフローチャートである。
【図９】本発明の好適な一実施形態によるＵＥの動作を示すフローチャートである。
【図１】
2007503158.tif 000003
【図２】
2007503158.tif 000004
【図３】
2007503158.tif 000005
【図４】
2007503158.tif 000006
【図５】
2007503158.tif 000007
【図６】
2007503158.tif 000008
【図７】
2007503158.tif 000009
【図８】
2007503158.tif 000010
【図９】
2007503158.tif 000011
【国際調査報告】
2007503158.tif 000012
2007503158.tif 000013